(57)【要約】【課題】本願は、撮影照明の光量を精度良く決定可能な眼科撮影装置を開示する。【解決手段】本発明は、眼科撮影装置であって、可視光および不可視光に感度を有する撮像素子と、被検者眼の眼底を不可視光で照明する第１照明手段と、眼底を可視光で照明する第２照明手段と、第１照明手段によって照明されている眼底を撮像素子で撮像している間に撮影要求を受けると、第１照明手段の発光量を所定の基準光量に変更し、基準光量の不可視光で照明された眼底の反射光に基づいて決定した発光量で第２照明手段を発光させて眼底を撮像素子で撮影する制御手段と、を備える。【選択図】図３
2020028597.tif 000002
【特許請求の範囲】
【請求項１】
可視光および不可視光に感度を有する撮像素子と、
被検者眼の眼底を不可視光で照明する第１照明手段と、
前記眼底を可視光で照明する第２照明手段と、
前記第１照明手段によって照明されている前記眼底を前記撮像素子で撮像している間に撮影要求を受けると、前記第１照明手段の発光量を所定の基準光量に変更し、前記基準光量の不可視光で照明された前記眼底の反射光に基づいて決定した発光量で前記第２照明手段を発光させて前記眼底を前記撮像素子で撮影する制御手段と、を備える、
眼科撮影装置。
【請求項２】
前記制御手段は、前記第１照明手段によって照明されている前記眼底を前記撮像素子で撮像している間に前記撮影要求を受けると、表示手段への前記眼底の像の表示を停止した状態で前記第１照明手段の発光量を前記基準光量に増量し、前記基準光量の不可視光で照明された前記眼底の反射光に基づいて決定した発光量で前記第２照明手段を発光させて前記眼底を前記撮像素子で撮影する、
請求項１に記載の眼科撮影装置。
【請求項３】
前記制御手段は、前記第１照明手段によって照明されている前記眼底を前記撮像素子で撮像している間に前記撮影要求を受けると、前記第１照明手段の発光量を前記基準光量に変更し、前記基準光量の不可視光で照明された前記眼底の反射光によって前記撮像素子に映し出される前記眼底の画像の輝度に基づいて決定した発光量で前記第２照明手段を発光させて前記眼底を前記撮像素子で撮影する、
請求項１または２に記載の眼科撮影装置。
【請求項４】
前記制御手段は、前記第１照明手段によって照明されている前記眼底を前記撮像素子で撮像している間に前記撮影要求を受けると、前記第１照明手段の発光量を前記基準光量に変更し、前記基準光量の不可視光で照明された前記眼底の反射光によって前記撮像素子に映し出される前記眼底の複数枚の画像の輝度の平均値に基づいて決定した発光量で前記第２照明手段を発光させて前記眼底を前記撮像素子で撮影する、
請求項１から３の何れか一項に記載の眼科撮影装置。
【請求項５】
前記制御手段は、前記第１照明手段によって照明されている前記眼底を前記撮像素子で撮像している間に前記撮影要求を受けると、前記第１照明手段の発光量を前記基準光量に変更し、前記基準光量の不可視光で照明された前記眼底の反射光によって前記撮像素子に映し出される前記眼底の画像の所定領域の輝度に基づいて決定した発光量で前記第２照明手段を発光させて前記眼底を前記撮像素子で撮影する、
請求項１から４の何れか一項に記載の眼科撮影装置。
【発明の詳細な説明】
【技術分野】
【０００１】
本発明は、眼科撮影装置に関する。
【背景技術】
【０００２】
眼底の撮影に際しては、眼底に照射する撮影照明の光量の調整が行われる（例えば、特許文献１−２を参照）。
【先行技術文献】
【特許文献】
【０００３】
【特許文献１】特開２００５−２７９１５４号公報
【特許文献２】特許第５６０２５０１号公報
【発明の概要】
【発明が解決しようとする課題】
【０００４】
眼底の撮影は、瞳孔の大きさの影響を受ける。そこで、眼底の撮影においては、眼底に照射する撮影照明の光量を調整するために、赤外光による眼底からの反射光の光量の測定が事前に行われ、当該測定結果に基づいて撮影照明の光量が決定される。
【０００５】
眼底からの反射光の光量の測定に用いる測定光としては、例えば、瞬間的な光を放つフラッシュランプの光路に赤外カットフィルタを挿入し、当該フラッシュランプをテスト発光させて得られる赤外光を測定光としたものや、観察用の動画像を得るために眼底に連続照射される赤外光を測定光としたものが挙げられる。しかし、前者の場合にはフラッシュランプを途切れなく連続で発光させることが技術的に難しいため、テスト発光を終えてから撮影のための発光を行うまでの間の時間経過により、瞳孔の状態が変化する可能性がある。また、後者の場合には動画像であるが故に赤外光の光量が絶えず変化しているため、当該赤外光の反射光に基づいて決定される撮影照明の光量が過不足になる可能性がある。
【０００６】
そこで、本願は、撮影照明の光量を精度良く決定可能な眼科撮影装置を開示する。
【課題を解決するための手段】
【０００７】
上記課題を解決するため、本発明では、不可視光で照明している眼底を撮像している間に撮影要求を受けると、光量を基準光量に変更し、その状態における眼底からの反射光に基づいて撮影時の発光量を決定することにした。
【０００８】
詳細には、本発明は、眼科撮影装置であって、可視光および不可視光に感度を有する撮像素子と、被検者眼の眼底を不可視光で照明する第１照明手段と、眼底を可視光で照明する第２照明手段と、第１照明手段によって照明されている眼底を撮像素子で撮像している間に撮影要求を受けると、第１照明手段の発光量を所定の基準光量に変更し、基準光量の不可視光で照明された眼底の反射光に基づいて決定した発光量で第２照明手段を発光させて眼底を撮像素子で撮影する制御手段と、を備える。
【０００９】
ここで、眼底とは、網膜の表面を含む眼球の内部の領域である。上記の眼科撮影装置では、瞳孔を通じて照明される眼底を撮像素子で撮像する。また、上記の眼科撮影装置には、眼底を照明する照明手段として、不可視光を放つ第１照明手段と、可視光を放つ第２照明手段が備わっている。不可視光とは、人の眼が感知しない光であり、例えば、赤外光が挙げられる。また、可視光とは、人の目が感知する光であり、例えば、波長域が約４００ｎｍから約８００ｎｍまでの範囲内にある光が挙げられる。
【００１０】
上記の眼科撮影装置では、不可視光を放つ第１照明手段によって眼底が照明され、眼底からの反射光によって眼底が撮像されている間に撮影要求があると、第１照明手段の発光量を所定の基準光量に変更する。ここで、撮像とは動画または静止画を撮ることをいい、撮影とは静止画を撮ることをいう。また、撮影要求とは、可視光によって照明された眼底の静止画の取得が求められる際に出される要求であり、例えば、観察者によって押下されるシャッターボタンの信号、眼底を撮影するタイミングの決定を自動で行う処理装置の信号、その他の各種形態の要求が挙げられる。また、基準光量とは、予め定められた所定の光量であり、眼底の観察中に照明する光の光量とは異なる光量である。
【００１１】
上記の眼科撮影装置では、撮影要求があると第１照明手段の発光量が基準光量に変更される。よって、基準光量の不可視光で照明された眼底からの反射光の光量は、瞳孔の大きさといった被検者眼の状態を反映したものとなり、且つ、眼底の動画像を得るために発光量が絶えず増減する照明光の変化を含まない安定したものとなる。したがって、上記の眼科撮影装置によれば、撮影照明の光量の決定がこのような安定した反射光を使って行われることになるため、決定される撮影照明の光量が過不足になる可能性を可及的に抑制することができる。
【００１２】
ところで、制御手段は、第１照明手段によって照明されている眼底を撮像素子で撮像している間に撮影要求を受けると、表示手段への眼底の像の表示を停止した状態で第１照明手段の発光量を基準光量に増量し、基準光量の不可視光で照明された眼底の反射光に基づいて決定した発光量で第２照明手段を発光させて眼底を撮像素子で撮影するようにしてもよい。
【００１３】
このような眼科撮影装置であれば、第１照明手段の発光量が基準光量に増量された際に眼底の像が表示されないため、眼底の観察者に光量の変化を感じさせることがない。
【００１４】
また、制御手段は、第１照明手段によって照明されている眼底を撮像素子で撮像している間に撮影要求を受けると、第１照明手段の発光量を基準光量に変更し、基準光量の不可視光で照明された眼底の反射光によって撮像素子に映し出される眼底の画像の輝度に基づいて決定した発光量で第２照明手段を発光させて眼底を撮像素子で撮影するものであってもよい。
【００１５】
このような眼科撮影装置であれば、撮像素子によって得られる画像の輝度で発光量を決定できるため、反射光の光量を測定するための構成を撮像素子とは別途に設ける必要が無い。よって、装置構成を簡略化可能である。
【００１６】
また、制御手段は、第１照明手段によって照明されている眼底を撮像素子で撮像している間に撮影要求を受けると、第１照明手段の発光量を基準光量に変更し、基準光量の不可視光で照明された眼底の反射光によって撮像素子に映し出される眼底の複数枚の画像の輝度の平均値に基づいて決定した発光量で第２照明手段を発光させて眼底を撮像素子で撮影するものであってもよい。
【００１７】
このような眼科撮影装置であれば、１枚の画像の輝度に基づいて発光量が決定される場合に比べて、不適切な発光量で決定される可能性を抑制することができる。
【００１８】
また、制御手段は、第１照明手段によって照明されている眼底を撮像素子で撮像している間に撮影要求を受けると、第１照明手段の発光量を基準光量に変更し、基準光量の不可視光で照明された眼底の反射光によって撮像素子に映し出される眼底の画像の所定領域の輝度に基づいて決定した発光量で第２照明手段を発光させて眼底を撮像素子で撮影するも
のであってもよい。
【００１９】
ここで、所定領域とは、眼底の画像の一部の領域であり、例えば、迷光が映り込む中心部からやや離れた領域が挙げられる。このような眼科撮影装置であれば、迷光が映り込んでいる部位の輝度が発光量の決定において参照されないため、不適切な発光量で決定される可能性を抑制することができる。
【発明の効果】
【００２０】
上記の眼科撮影装置であれば、撮影照明の光量を精度良く決定可能である。
【図面の簡単な説明】
【００２１】
【図１】図１は、実施形態の眼科撮影装置の光学系の概略構成を示した図である。
【図２】図２は、眼科撮影装置に備わる電気回路のブロック線図の一例である。
【図３】図３は、眼底撮影前後における各処理のタイミングチャートを示した図である。
【図４】図４は、眼科撮影装置で実現される処理フローを示した図である。
【図５】図５は、撮影時の発光量の決定に際して輝度値が参照される領域の一例を示した図である。
【図６】図６は、観察用照明の発光量の変化の一例を示した図である。
【発明を実施するための形態】
【００２２】
以下、本発明の実施形態について説明する。以下に示す実施形態は、本発明の実施形態の一例であり、本発明の技術的範囲を以下の態様に限定するものではない。
【００２３】
図１は、本実施形態の眼科撮影装置の光学系の概略構成を示した図である。眼科撮影装置１は、被検眼Ｅの眼底を撮影する装置であり、対物レンズ２、前眼部照明２Ａ、前眼部結像レンズ２Ｂ、有孔ミラー３、フォーカスレンズ４、ハーフミラー５、内部固視灯６、リレーレンズ７、フォーカスドットミラー８、フォーカス指標投影系９、黒点板ガラス１０、リレーレンズ１１、リングスリット１２、拡散板１３、撮影用照明１４（本願でいう「第２照明手段」の一例である）、観察用照明１５（本願でいう「第１照明手段」の一例である）、結像レンズ１６、狭角用レンズ１７、広角用レンズ１８、赤外カットフィルタ１９、イメージセンサ２０（本願でいう「撮像素子」の一例である）を備える。
【００２４】
まず、眼科撮影装置１に備わる各部品の位置関係および機能について説明する。対物レンズ２は、被検眼Ｅの正面に位置するレンズである。また、前眼部照明２Ａは、被検眼Ｅの前眼部を赤外光で照明する機能と、被検眼Ｅの前眼部に距離測定用の指標を投射する機能とを兼ね備えた赤外ＬＥＤ（Light Emitting Diode）である。そして、対物レンズ２の後方の光軸上には、前眼部結像レンズ２Ｂ、有孔ミラー３、フォーカスレンズ４、ハーフミラー５、内部固視灯６が順に配置されている。前眼部結像レンズ２Ｂは、対物レンズ２の後方の光軸上に挿抜される可動式のレンズであり、眼科撮影装置１に設けられた切替ボタンや制御信号に連動してアクチュエータで動く。有孔ミラー３は、対物レンズ２の光軸が通過する部位に貫通孔が形成されたミラーであり、対物レンズ２の光軸に対し適当な傾き角で眼科撮影装置１内に固定されている。
【００２５】
有孔ミラー３で反射されて被検眼Ｅに照射される照明光を導く照明光学系の軸上には有孔ミラー３側から順に、リレーレンズ７、フォーカスドットミラー８、黒点板ガラス１０、リレーレンズ１１、リングスリット１２、拡散板１３、撮影用照明１４、観察用照明１５が配置される。よって、可視光を瞬間的に放つフラッシュランプである撮影用照明１４や、不可視の赤外光を発光する赤外ＬＥＤである観察用照明１５から放たれた光は、拡散板１３やリングスリット１２を通過する過程で環状の照射光となり、リレーレンズ１１、
黒点板ガラス１０、フォーカスドットミラー８、リレーレンズ７を経て有孔ミラー３で反射され、対物レンズ２を経て被検眼Ｅの眼底を照明する。
【００２６】
黒点板ガラス１０は、対物レンズ２による反射光が撮影像に写り込むのを防ぐ目的で設けられており、板ガラスの中心、すなわち光軸のある位置に、小さい遮光物を配置したものである。その黒点板ガラス１０とリレーレンズ７との間にあるフォーカスドットミラー８には、反射光がリレーレンズ７の光軸に一致することになる角度でフォーカス指標投影系９からの光が入射する。フォーカス指標投影系９は、被検眼Ｅの眼底にフォーカス指標を投影する。よって、被検眼Ｅの眼底には、撮影用照明１４や観察用照明１５が放つ光の他、フォーカス指標投影系９が放つフォーカス指標の光が入射することになる。フォーカス指標投影系９には、赤外光を放つ赤外ＬＥＤが用いられている。
【００２７】
撮影用照明１４や観察用照明１５の光で照明された被検眼Ｅの眼底からの反射光は、対物レンズ２、有孔ミラー３、フォーカスレンズ４を通過してハーフミラー５に入射する。ハーフミラー５は、対物レンズ２の光軸に対し適当な傾き角で眼科撮影装置１内に固定されている。よって、被検眼Ｅの眼底からの反射光は、ハーフミラー５において、対物レンズ２の光軸に対し適当な角度をもって反射される。フォーカスレンズ４から入射したハーフミラー５の反射光の光軸上には、結像レンズ１６、赤外カットフィルタ１９、イメージセンサ２０が順に設けられている。そして、結像レンズ１６と赤外カットフィルタ１９との間には、観察者が所望する倍率に応じて適宜選択される変倍レンズである狭角用レンズ１７または広角用レンズ１８が挿入される。よって、被検眼Ｅの眼底からの反射光は、ハーフミラー５で反射された後に結像レンズ１６を通過し、狭角用レンズ１７または広角用レンズ１８を経た後、イメージセンサ２０へ入射する。イメージセンサ２０では、マトリクス状に配列された光電変換素子が光のエネルギーを受けて電気信号を発し、被検眼Ｅの眼底の画像が得られる。
【００２８】
イメージセンサ２０は、可視光および赤外光に感度を有する撮像素子である。よって、イメージセンサ２０は、被検眼Ｅを照明する光の光源が、被検眼Ｅの前眼部を照明する前眼部照明２Ａ、被検眼Ｅの眼底を照明する撮影用照明１４、同じく被検眼Ｅの眼底を照明する観察用照明１５の何れであっても、前眼部或いは眼底の画像を得ることができる。このようなイメージセンサ２０としては、例えば、ＣＭＯＳが挙げられる。
【００２９】
赤外カットフィルタ１９は、被検眼Ｅの眼底を可視光で撮影する際に光路へ挿入され、赤外光による観察の際には光路から抜去される。赤外カットフィルタ１９は、赤外光を遮断するフィルター機能を有しており、眼底の撮像画像に赤外光が映り込むのを防止する役割を果たす。
【００３０】
なお、眼科撮影装置１では、上記の光学系部品を筐体に収めた撮影装置本体が架台に載っている。そして、眼科撮影装置１には、架台に載っている筐体を操作レバーによる操作で前後、左右或いは上下に移動する移動機構が備わっており、当該操作レバーを操作することで、被検眼Ｅに対する撮像装置本体の位置関係を調整できるようになっている。
【００３１】
図２は、眼科撮影装置１に備わる電気回路（本願でいう「制御手段」の一例である）のブロック線図の一例である。眼科撮影装置１には、例えば、ＣＰＵ基板２１、ＬＣＤパネル２２（Liquid Crystal Display）、ＬＣＤバックライト２３、操作部２４、メイン基板２５が備わっている。図２では、フォーカスレンズ４と赤外カットフィルタ１９を動かすアクチュエータ、撮影用照明１４を発光させる高圧回路、フォーカス指標投影系９に備わるＬＥＤ、観察用照明１５を全て電子部品類２６として纏めて図示している。
【００３２】
ＣＰＵ基板２１は、主にイメージセンサ２０で取得された画像の処理を担う回路基板で
あり、画像を処理するＣＰＵ（Central Processing Unit）やＦＰＧＡ（Field Programmable Gate Array）、画像を記録するＳＤカード（「ＳＤ」は登録商標）用のドライブ等の各種電子部品が実装されている。イメージセンサ２０は、ＣＰＵ基板２１の制御信号に応じて作動し、取得した画像をＣＰＵ基板２１に提供する。ＣＰＵ基板２１では、イメージセンサ２０が取得した画像に対する各種の処理が行われ、処理された画像がＬＣＤパネル２２或いはＳＤカードへ出力される。ＬＣＤパネル２２では、ＣＰＵ基板２１から出力された画像が表示される。
【００３３】
メイン基板２５は、眼科撮影装置１全体の制御を司る回路基板であり、ＦＰＧＡやその他の各種電子部品が実装されている。メイン基板２５は、操作部２４で受け付けた操作内容に従ってＣＰＵ基板２１や電子部品類２６を作動させる。メイン基板２５は、以下の処理フローを実現する。
【００３４】
すなわち、眼科撮影装置１の使用が開始されると、イメージセンサ２０の作動や観察用照明１５の通電が開始される。眼科撮影装置１の使用開始時は、被検眼Ｅの前眼部がＬＣＤパネル２２に映し出される前眼部モードが選択されているため、前眼部結像レンズ２Ｂが光軸上に挿入された状態となっており、また、前眼部を照明する前眼部照明２Ａの通電も行われる。そして、眼科撮影装置１では、被検眼Ｅの前眼部が鮮明に写るようにアライメント調整が行われた後、瞳孔径のチェック等を経て眼底の観察が開始される。
【００３５】
図３は、眼底撮影前後における各処理のタイミングチャートを示した図である。眼底の観察が開始されると、観察用照明１５が任意の発光量（以下、「任意光量」という）で６０分の１秒毎に点灯と消灯を繰り返し、これに同期して観察画像と判定画像が６０分の１秒毎に交互にイメージセンサ２０で取得される。任意光量とは、赤外線の反射光によって眼底の像を得ることが可能となる照明光の光量であり、メイン基板２５による制御によって絶えず増減する光量である。また、観察画像とは、観察用照明１５の点灯によって赤外光で照明された眼底の画像であり、ＬＣＤパネル２２に表示される画像である。また、判定画像とは、フォーカス指標投影系９によって投影されるワーキングドットとフォーカスドットが写り込んだ眼底の画像である。
【００３６】
図４は、眼科撮影装置１で実現される処理フローを示した図である。観察画像が６０分の１秒毎に取得されて動画像としてＬＣＤパネル２２に表示されている状態（図３の符号Ｆ１）で操作部２４のシャッターボタンが押されると、眼科撮影装置１では、既定のシーケンスに従い、図３において符号Ｔ１〜Ｔ７で示す既定のタイミングに沿って以下の処理が実現される。
【００３７】
すなわち、眼科撮影装置１ではこのシャッターボタンの操作が撮影要求として受け付けられ、観察用照明１５の同期発光が停止されると共に、観察用照明１５の基準光量による連続点灯が開始される（Ｓ１０１）。また、眼科撮影装置１では、このタイミングでＬＣＤパネル２２の表示が一時停止される。ここで、基準光量とは、撮影用照明１４の発光量を決定する際に観察用照明１５が眼底へ照射する赤外光の光量であり、例えば、上記任意光量よりも大きい所定の光量である。そして、眼科撮影装置１では、観察用照明１５が基準光量で連続点灯している状態において、判定画像がイメージセンサ２０によって３フレーム分取得される（Ｓ１０２）。そして、眼科撮影装置１では、取得した画像の輝度値に基づいて撮影時の発光量の決定が行われる（Ｓ１０３、図３の符号Ｆ２）。
【００３８】
図５は、撮影時の発光量の決定に際して輝度値が参照される領域の一例を示した図である。図５では、動画像としてＬＣＤパネル２２に表示されている観察画像を図５（Ａ）に、観察用照明１５が消灯している状態で取得される判定画像を図５（Ｂ）に、観察用照明１５が基準光量で連続点灯している状態で取得される判定画像を図５（Ｃ）に示す。
【００３９】
図５（Ａ）に示されるように、動画像として表示される観察画像には、眼底像と重なるようにして、中心スポットＣＳの左右両側にワーキングドットＷＤＬ，ＷＤＲ、中心スポットＣＳの上側にフォーカスドットＦＤが映っている。また、図５（Ｂ）と図５（Ｃ）に示されるように、判定画像には、眼底像は殆ど映っておらず、ワーキングドットＷＤＬ，ＷＤＲとフォーカスドットＦＤが映っている。そして、撮影時の発光量の決定に際して輝度値が参照される領域は、中心スポットＣＳからやや下側に離れた領域、すなわち、図５（Ｃ）に示される判定エリアＨＥ（本願でいう「所定領域」の一例である）に設定されている。
【００４０】
中心スポットＣＳは、眼底からの反射による迷光が映り込む領域であるため、撮影時の発光量の決定において輝度を参照するには不適切な領域である。そこで、本実施形態の眼科撮影装置１では、判定エリアＨＥを中心スポットＣＳからやや離れた領域に設定することにより、迷光が映り込んでいる部位の輝度を発光量の決定において参照することによる不適切な発光量の決定を防いでいる。
【００４１】
眼科撮影装置１は、判定エリアＨＥの輝度値を３フレーム（図３の符号Ｇ１〜Ｇ３で示す３つの判定画像）で平均した平均値を基に、撮影時の発光量の決定を行う。具体的には、眼科撮影装置１は、規定の標準値に対する平均値の差分に応じて撮影時の発光量を増減する。
【００４２】
眼科撮影装置１は、撮影時の発光量の決定を行った後、イメージセンサ２０の動作モードを可視撮影モードへ切り換える（Ｓ１０４）。イメージセンサ２０の動作モードが観察モードから可視撮影モードへ切り替わることにより、動画を取得するために読み出しが省略されていた画素の読み出しが行われ、イメージセンサ２０に備わる全ての画素の読み出しが可能な状態となる。そして、眼科撮影装置１は、観察用照明１５を消灯し（Ｓ１０５）、光路から抜去されていた赤外カットフィルタ１９を光路へ挿入する（Ｓ１０６、図３の符号Ｆ３）。そして、眼科撮影装置１は、撮影用照明１４をステップＳ１０３の処理で決定した発光量で瞬間的に発光させ、撮影用照明１４の発光と同時にイメージセンサ２０が眼底の撮影を行う（Ｓ１０７、図３の符号Ｆ４）。これにより、イメージセンサ２０では、可視光を放つ撮影用照明１４で照明された眼底の静止画が取得される。
【００４３】
眼科撮影装置１は、眼底の静止画をイメージセンサ２０で取得した後、光路に挿入されていた赤外カットフィルタ１９を光路から抜去する（Ｓ１０８）。そして、眼科撮影装置１は、ステップＳ１０５の処理で停止した観察用照明１５の同期発光を再開すると共に（Ｓ１０９）、ステップＳ１０４の処理で撮影モードに変更していたイメージセンサ２０の動作モードを観察モードへ変更する（Ｓ１１０、図３の符号Ｆ５）。また、眼科撮影装置１では、このタイミングでＬＣＤパネル２２の表示が再開される。イメージセンサ２０の動作モードが可視撮影モードから観察モードへ切り替わることにより、鮮明な静止画取得するために行われていた全ての画素の読み出しが停止され、イメージセンサ２０に備わる全ての画素のうち一部の読み出しを省略した画素の読み出し、すなわち、動画向けの画素の読み出しが行われる状態となる。これにより、撮影動作が開始される前の状態、すなわち、観察画像が６０分の１秒毎に取得されて動画像としてＬＣＤパネル２２に表示される状態に戻る（図３の符号Ｆ６）。
【００４４】
図６は、観察用照明１５の発光量の変化の一例を示した図である。本実施形態の眼科撮影装置１では、赤外光を放つ観察用照明１５によって眼底が照明され、眼底からの反射光によって眼底が撮像されている間にシャッターボタンが押されると、観察用照明１５の発光量が任意光量から基準光量へ変更される。任意光量は、眼底の観察中に照明する光の光量であるから、被検者の周囲の明るさや、観察開始からの経過時間等に応じて、図６に示
されるように、眼底が適切な明るさとなるように絶えず調整される光量である。一方、基準光量は、上述したように、予め定められた所定の光量であり、任意光量のように絶えず増減する光量ではない。よって、基準光量の赤外光で照明された眼底からの反射光の光量は、瞳孔の大きさといった被検者眼の状態を反映したものとなり、且つ、眼底の動画像を得るために発光量が絶えず増減する照明光の変化を含まない安定したものとなる。したがって、本実施形態の眼科撮影装置１によれば、撮影照明の光量の決定がこのような安定した反射光を使って行われることになるため、決定される撮影照明の光量が過不足になる可能性を可及的に抑制することができる。
【００４５】
また、上記一連の処理が行われている間はＬＣＤパネル２２の表示が停止されているため、観察用照明１５の発光量が基準光量に変化した際に眼底の像が表示されない。このため、眼底の観察者には光量の変化を感じさせることがない。
【００４６】
なお、上記の眼科撮影装置１は、例えば、以下のように変形してもよい。
【００４７】
上記実施形態の眼科撮影装置１では、判定エリアＨＥが中心スポットＣＳからやや下側に離れた一領域に設定されていたが、判定エリアＨＥは、例えば、中心スポットＣＳから更に離れた一領域に設定されていてもよいし、中心スポットＣＳから離れた複数箇所の領域に設定されていてもよいし、或いは、中心スポットＣＳの周囲を複数箇所から取り囲むように複数箇所の領域に設定されていてもよい。判定エリアＨＥが複数箇所の領域に設定される場合、撮影時の発光量の決定は当該複数箇所の領域にある画素の輝度値を平均した値を使って行われる。
【００４８】
また、上記実施形態の眼科撮影装置１では、シャッターボタンが押されると、判定エリアＨＥにおける輝度値の多寡に関わり無く既定のシーケンスに従って上記一連の処理が実行されていたが、上記一連の処理は、例えば、眼科撮影装置１に備わる電気回路が、瞳孔径が所定の大きさになったことを自動検知したタイミングで実行されるようにしてもよい。
【００４９】
また、上記実施形態の眼科撮影装置１では、ステップＳ１０２の処理で取得された３フレーム分の画像の輝度値を平均した平均値を基に、撮影時の発光量が決定されていたが、撮影時の発光量は、例えば、複数フレーム分の画像の輝度値の中から多数決で選出された輝度値を基に決定されてもよいし、複数フレーム分の画像のうち特定の１フレームの画像の輝度値を基に決定されてもよいし、或いは、取得した１フレーム分の画像の輝度値のみを基に決定されてもよい。
【００５０】
また、上記実施形態の眼科撮影装置１では、イメージセンサ２０で取得される画像の輝度値を基に、撮影時の発光量が決定されていたが、撮影時の発光量は、例えば、イメージセンサ２０とは別途に用意された受光素子を使って観測される反射光の光量に基づいて決定されてもよい。この場合、別途に用意される受光素子は、少なくとも観察用照明１５が発する赤外光に対する感度を有する必要があるが、赤外光のみに感度を有するものであってもよいし、或いは、赤外光と可視光の両方に感度を有するものであってもよい。
【符号の説明】
【００５１】
１・・眼科撮影装置：２・・対物レンズ：２Ａ・・前眼部照明：２Ｂ・・前眼部結像レンズ：３・・有孔ミラー：４・・フォーカスレンズ：５・・ハーフミラー：６・・内部固視灯：７・・リレーレンズ：８・・フォーカスドットミラー：９・・フォーカス指標投影系：１０・・黒点板ガラス：１１・・リレーレンズ：１２・・リングスリット：１３・・拡散板：１４・・撮影用照明：１５・・観察用照明：１６・・結像レンズ：１７・・狭角用レンズ：１８・・広角用レンズ：１９・・赤外カットフィルタ：２０・・イメージセンサ
：２１・・ＣＰＵ基板：２２・・ＬＣＤパネル：２３・・ＬＣＤバックライト：２４・・操作部：２５・・メイン基板：２６・・電子部品類：ＦＤ・・フォーカスドット：ＷＤＬ，ＷＤＲ・・ワーキングドット：ＨＥ・・判定エリア：ＣＳ・・中心スポット
【図１】
2020028597.tif 000003
【図２】
2020028597.tif 000004
【図３】
2020028597.tif 000005
【図４】
2020028597.tif 000006
【図５】
2020028597.tif 000007
【図６】
2020028597.tif 000008